【手続補正書】
【提出日】平成19年11月21日(2007.11.21)
【手続補正１】
【補正対象書類名】特許請求の範囲
【補正対象項目名】全文
【補正方法】変更
【補正の内容】
【特許請求の範囲】
【請求項１】
金銭的対象物の積み重ね束（２９）を受け入れ、いったん閉鎖された後に開放されると金銭的対象物の積み重ね束（２９）のためのパッケージ体として再使用することができない閉鎖可能な容器（４）と、この閉鎖された容器（４）の内部に金銭的対象物の積み重ね束（２９）とともに収納されるＲＦＩＤ装置（２１）とを備えてなり、ＲＦＩＤ装置（２１）は、前記容器（４）が開放されたときに再使用のために前記容器（４）から取り出すことができる、金銭的対象物の積み重ね束（２９）のためのパッケージ体。
【請求項２】
前記積み重ね束および前記ＲＦＩＤ装置を前記容器の内側に封止するための密閉部材（９）を含んでいる請求項１に記載のパッケージ体。
【請求項３】
ＲＦＩＤ装置（２１）は、読み取り／書き込み用ＲＦＩＤタグである請求項１または２に記載のパッケージ体。
【請求項４】
ＲＦＩＤ装置（２１）は、読み取り専用ＲＦＩＤタグである請求項２または３に記載のパッケージ体。
【請求項５】
シート状金銭的対象物（２）の積み重ね束（２９）をその中に収容している請求項１〜４のいずれか１つに記載のパッケージ体。
【請求項６】
ＲＦＩＤ装置は、シート状金銭的対象物の積み重ね束（２９）のための基部を形成する部材からなっている請求項５に記載のパッケージ体。
【請求項７】
ＲＦＩＤ装置は、金銭的対象物が積み重ねられるプラテンとして作用する請求項５に記載のパッケージ体。
【請求項８】
容器（４）は、再利用可能なプラスチック材料から作られている請求項１〜７のいずれか１つに記載のパッケージ体。
【請求項９】
いったん開放されると金銭的対象物の積み重ね束のためのパッケージ体のために再使用することができない容器（４）の中に金銭的対象物を積み重ねることによってそれらを収納するステップと、前記容器の内部にＲＦＩＤ装置を収容するステップと、前記積み重ね束と前記ＲＦＩＤ装置とがその中に収容された前記容器を閉鎖するステップと、前記容器を開放して、そこから、金銭的対象物の前記積み重ね束と前記ＲＦＩＤ装置とを取り出すステップと、前記ＲＦＩＤ装置を前記容器（４）とは別の容器の中で再使用するステップとを備えている金銭的対象物（２）を処理する方法。
【請求項１０】
開放された容器（４）を、そこからの金銭的対象物およびＲＦＩＤ装置の取り出しの後に、再利用のために送り出すステップ（Ｓ１４０）を含んでいる請求項９に記載の方法。
【請求項１１】
前記容器から取り出されたＲＦＩＤ装置からデータを削除するステップ（Ｓ１３０）を含んでいる請求項１０に記載の方法。
【請求項１２】
前記容器の中に積み重ねられた金銭的対象物に対応するデータをＲＦＩＤ装置の中に記録するステップを含んでいる請求項９に記載の方法。
【請求項１３】
前記容器を閉鎖するステップは、その中に金銭的品目の積み重ね束（２９）がある容器の上に密閉部材（９）を封止するステップからなっている請求項９に記載の方法。
【請求項１４】
前記容器の内部における密閉部材（９）にＲＦＩＤ装置（２１）を設けるステップを含んでいる請求項１３に記載の方法。
【請求項１５】
金銭的対象物（２）の積み重ね束（２９）のための基部を形成する部材としてＲＦＩＤ装置を設けるステップを含んでいる請求項９に記載の方法。
【請求項１６】
閉鎖された前記容器をその容器の開放前に異なる場所へ輸送するステップと、金銭的対象物の前記積み重ね束および前記ＲＦＩＤ装置を取り出すステップとを含んでいる請求項９〜１５のいずれか１つに記載の方法。
【請求項１７】
前記容器の中における金銭的対象物の前記積み重ね束に対応する評価データを決定するステップと、前記ＲＦＩＤ装置から識別情報を読み取るステップと、前記識別情報を前記評価データと関連させて第１データベースの中に保存するステップとを含んでいる請求項９〜１５のいずれか１つに記載の方法。
【請求項１８】
（ｉ）  容器の中に積み重ねられるシート物に関する第１評価データを決定するための手段、前記第１評価データをＲＦＩＤ装置へ書き込むためのＲＦリーダー／ライター、および、前記容器（４）および前記ＲＦＩＤ装置（２１）が含まれている、請求項１〜８のいずれか１つに記載された、シート物の積み重ね束のためのパッケージ体を備えているパッケージ用装置
を備えてなる、特性的な金銭的価値を有しているシート物の積み重ね束を容器の中にパッケージするパッケージ用システム。
【請求項１９】
前記第１評価データをその中に保存するための第１データベースを有している第１処理手段を備えている請求項１８に記載のシステム。
【請求項２０】
前記第１データベースの中に保存されたデータをユーザーへ表示するためのディスプレイ手段を備えている請求項１９に記載のシステム。
【請求項２１】
前記容器からシート物を取り出すとともに前記容器から取り出されたシート物に関する第２評価データを決定するための内容物取出装置をさらに備えている請求項１８〜２０のいずれか１つに記載のシステム。
【請求項２２】
内容物取出装置は、ＲＦＩＤ装置に保存された第１評価データを読み取るためのＲＦ手段からなっている請求項２１に記載のシステム。
【請求項２３】
ＲＦＩＤ装置から読み取られた第１評価データと内容物取出装置によって決定された第２評価データとを保存するための第２データベースを有している第２処理手段を備えている請求項２２に記載のシステム。
【請求項２４】
アラームを備え、第２処理手段は、前記第１評価データを前記第２評価データと比較し、かつ、第１評価データが第２評価データと一致しない場合に前記アラームを作動させるように作用することができる請求項２３に記載のシステム。
【請求項２５】
第２処理手段は、前記第１評価データを前記第２評価データと比較し、かつ、第１評価データが第２評価データと一致する場合にＲＦＩＤ装置から第１評価データを削除するために前記ＲＦ手段を制御するように作用することができる請求項２３に記載のシステム。
【請求項２６】
第２データベースの中に保存された情報をユーザーへ表示するためのディスプレイ手段を備えている請求項２３、２４または２５に記載のシステム。
【請求項２７】
ＲＦＩＤ装置を検出するためのＲＦ検出器を備え、ＲＦ検出器は、追跡情報をＲＦＩＤ装置へ書き込むように作用することができる請求項１８〜２６のいずれか１つに記載のシステム。
【請求項２８】
ＲＦ検出器は、前記追跡情報を第１処理手段へ転送するように作用することができ、第１処理手段は、前記追跡情報を第１評価データと関連して第１データベースの中に保存するように作用することができる請求項２７に記載のシステム。
【請求項２９】
ＲＦ検出器は、前記追跡情報を第２処理手段へ転送するように作用することができ、第２処理手段は、前記追跡情報を第１評価データと関連して第２データベースの中に保存するように作用することができる請求項２７に記載のシステム。
【請求項３０】
前記追跡情報は、ＲＦＩＤ装置がＲＦ検出器によって検出されたときの時刻および／または日付からなっている請求項２７、２８または２９に記載のシステム。
【請求項３１】
アラームとＲＦＩＤ装置を検出するためのＲＦ検出器とを備え、ＲＦ検出器は、ＲＦＩＤ装置の検出に応じて前記アラームを作動させるように作用することができる請求項１８〜３０のいずれか１つに記載のシステム。
【請求項３２】
パッケージ用装置は、その中に前記シート物の積み重ね束およびＲＦＩＤ装置とともに前記容器を封止するための封止装置を備えている請求項１８〜３１のいずれか１つに記載のシステム。
【請求項３３】
前記封止装置によって前記容器の上に封止される密閉部材を備えている請求項３２に記載のシステム。
【請求項３４】
ＲＦＩＤ装置は、前記密閉部材へ取り外し可能に取り付けられている請求項３３に記載のシステム。
【請求項３５】
第１および／または第２の評価データは、前記シート物に特性として備わった金銭的価値および／または前記積み重ね束の中におけるシート物の枚数に関連している請求項１８〜３４のいずれか１つに記載のシステム。